(57)【要約】【課題】本発明は現状３葉片が最多葉片となる三つ折りはがきであるところ、葉片に数えられない宛名ラベルを組み合わせることで、更に多くの情報を記載して伝達することが可能な折り畳み郵便はがきを提供することを目的とする。【解決手段】折り線を介して横方向に連接された第一葉片１、第二葉片２、第三葉片３及び第四葉片４の４葉片を前記折り線５、６及び７から蛇腹状に折り畳み、各対向面を疑似接着媒体を介して剥離可能に接着した郵便はがきにおいて、第二葉片２がはがき本体となり、第四葉片４の表出面には料金受取人払い及びそれに関連する表示、郵便番号枠及び受取人の住所氏名等の郵便業務に関連する必須の表示しかなされず、前記郵便業務に関連する必須の表示の内の少なくとも受取人の住所氏名が記載されていることを特徴とした折り畳み郵便はがきＨ１により解決される。【選択図】図１
2019155898.tif 000002
【特許請求の範囲】
【請求項１】
折り線を介して横方向に連接された第一葉片、第二葉片、第三葉片及び第四葉片の４葉片を前記折り線から蛇腹状に折り畳み、各対向面を疑似接着媒体を介して剥離可能に接着した郵便はがきにおいて、第二葉片がはがき本体となり、第四葉片の表出面には料金受取人払い及びそれに関連する表示、郵便番号枠及び受取人の住所氏名等の郵便業務に関連する必須の表示しかなされず、前記郵便業務に関連する必須の表示の内の少なくとも受取人の住所氏名が記載されていることを特徴とした折り畳み郵便はがき。
【請求項２】
折り線を介して横方向に連接された第一葉片、第二葉片、第三葉片、第四葉片及び第五葉片の５葉片を前記折り線から蛇腹状に折り畳み、第二葉片及び第三葉片の対向面間を剥離不能に接着すると共にその他の対向面間を疑似接着媒体を介して剥離可能に接着した郵便はがきにおいて、前記剥離不能に接着された第二葉片と第三葉片がはがき本体となり、第五葉片の表出面には料金受取人払い及びそれに関連する表示、郵便番号枠及び受取人の住所氏名等の郵便業務に関連する必須の表示しかなされず、前記郵便業務に関連する必須の表示の内の少なくとも受取人の住所氏名が記載されていることを特徴とした折り畳み郵便はがき。
【請求項３】
折り線を介して横方向に連接された第一葉片、第二葉片、第三葉片及び第四葉片を前記折り線から蛇腹状に折り畳み、第二葉片及び第三葉片の対向面間を剥離不能に接着すると共にその他の対向面間を疑似接着媒体を介して剥離可能に接着した郵便はがきにおいて、前記剥離不能に接着された第二葉片と第三葉片がはがき本体となり、第四葉片の表面に第五葉片が独立して貼付され、前記第五葉片の表出面には料金受取人払い及びそれに関連する表示、郵便番号枠及び受取人の住所氏名等の郵便業務に関連する必須の表示しかなされず、前記郵便業務に関連する必須の表示の内の少なくとも受取人の住所氏名が記載されていることを特徴とした折り畳み郵便はがき。
【発明の詳細な説明】
【技術分野】
【０００１】  本発明は、複数の葉片を折畳み剥離可能に一体化することで、従来よりも大量の情報を隠蔽状態で伝達することが可能な郵便はがきに関する。
【背景技術】
【０００２】  近年、複数の葉片を折畳み剥離可能に一体化することで、受取人に大量の情報を隠蔽状態でしかも郵便はがき料金で送れるという優れた機能を有する郵便はがきが使用されている。ところで内国郵便約款で規定される第二種郵便物の通常はがきは、はがきのサイズ・重さ等に制限がある。従って現状使用可能な通常はがきは、例えば実開平７−２６１６０号公報に記載される三つ折りシークレットはがきのように、本体となる葉片の両面に葉片が貼付された三つ折り（Ｚ折り）の形態までが認められている。
【先行技術文献】
【特許文献】
【０００３】
【特許文献１】実開平７−２６１６０号公報
【発明の概要】
【発明が解決しようとする課題】
【０００４】  前記特許文献１の三つ折りシークレットはがきは、３葉片の表裏面に各種情報を記載することができる。ところでダイレクトメール等のはがきに受取人の住所・氏名を印刷する手段として、例えば前記受取人の住所氏名をプリンターによりはがき表面に直接印字したり、受取人の住所氏名を別工程で印字した宛名ラベルを別工程で貼り付けたりしている。【０００５】  本発明は現状３葉片が最多葉片となる三つ折りはがきであるところ、葉片に数えられない宛名ラベルを組み合わせることで、更に多くの情報を記載して伝達することが可能な折り畳み郵便はがきを提供することを目的とする。
【課題を解決するための手段】
【０００６】  上記目的を達成するために、本発明の折り畳み郵便はがきは、折り線を介して横方向に連接された第一葉片、第二葉片、第三葉片及び第四葉片の４葉片を前記折り線から蛇腹状に折り畳み、各対向面を疑似接着媒体を介して剥離可能に接着した郵便はがきにおいて、第二葉片がはがき本体となり、第四葉片の表出面には料金受取人払い及びそれに関連する表示、郵便番号枠及び受取人の住所氏名等の郵便業務に関連する必須の表示しかなされず、前記郵便業務に関連する必須の表示の内の少なくとも受取人の住所氏名が記載されていることを特徴としている。【０００７】  また上記目的を達成するために、本発明の異なる態様の折り畳み郵便はがきは、折り線を介して横方向に連接された第一葉片、第二葉片、第三葉片、第四葉片及び第五葉片の５葉片を前記折り線から蛇腹状に折り畳み、第二葉片及び第三葉片の対向面間を剥離不能に接着すると共にその他の対向面間を疑似接着媒体を介して剥離可能に接着した郵便はがきにおいて、前記剥離不能に接着された第二葉片と第三葉片がはがき本体となり、第五葉片の表出面には料金受取人払い及びそれに関連する表示、郵便番号枠及び受取人の住所氏名等の郵便業務に関連する必須の表示しかなされず、前記郵便業務に関連する必須の表示の内の少なくとも受取人の住所氏名が記載されていることを特徴としている。【０００８】  さらに上記目的を達成するために、本発明の異なる態様の折り畳み郵便はがきは、折り線を介して横方向に連接された第一葉片、第二葉片、第三葉片及び第四葉片を前記折り線から蛇腹状に折り畳み、第二葉片及び第三葉片の対向面間を剥離不能に接着すると共にその他の対向面間を疑似接着媒体を介して剥離可能に接着した郵便はがきにおいて、前記剥離不能に接着された第二葉片と第三葉片がはがき本体となり、第四葉片の表面に第五葉片が独立して貼付され、前記第五葉片の表出面には料金受取人払い及びそれに関連する表示、郵便番号枠及び受取人の住所氏名等の郵便業務に関連する必須の表示しかなされず、前記郵便業務に関連する必須の表示の内の少なくとも受取人の住所氏名が記載されていることを特徴としている。【０００９】  本発明の折り畳み郵便はがきのラベル片とみなされる葉片表面に記載される情報は、料金受取人払い及びそれに関連する表示、郵便番号枠及び受取人の住所氏名等の郵便業務に関連する必須の表示に限られる。そしてその中でも必須の表示は受取人の住所氏名である。即ち白紙の面に受取人の住所氏名が表示されただけの状態が基本になり、場合により料金受取人払い及びそれに関連する表示、或いは郵便番号枠等郵便業務に関連する必須の表示が選択されて表示される。【００１０】  また本発明の請求項１及び２に係る折り畳み郵便はがきのラベル片とみなされる葉片は折り線を介して他の葉片と連接されているが、請求項３に係る折り畳み郵便はがきのラベル片と見なされる葉片は他の葉片から独立しているため、剥離すると他の葉片から分離しできる一枚のラベル片となる。【００１１】  本発明の折り畳み郵便はがきの剥離可能な接着は、以下の各種疑似接着態様により実行される。以下の各疑似接着媒体が形成された用紙は、折り畳まれ加圧或いは加熱・加圧処理を施されると剥離可能に接着するものである。
１）天然或いは合成ゴムを主剤とした疑似接着媒体を印刷前の用紙に塗布、含侵させた      後に表面から印刷を施す、業界で先糊方式と呼ばれるもの。
２）印刷後の用紙表面に疑似接着性のＵＶ硬化ニスを塗布して疑似接着性の被膜を形成      する、業界で後糊方式と呼ばれるもの。
３）印刷後の用紙表面に疑似接着性のフィルムシートを被覆する、業界でフィルム方式      と呼ばれるもの。なおフィルム方式は、予め疑似接着されたフィルムシートを折り      畳まれた葉片間に挟み込み加熱・加圧処理を施して剥離可能に一体化する挟み込み      方式と、疑似接着層を形成した疑似接着フィルムシートを印刷後の用紙表面に被覆      してその後折り畳み加圧或いは加熱・加圧処理を保護越して剥離可能に一体化する      全面貼り方式がある。【００１２】  また本発明の折り畳み郵便はがきの剥離不能な接着は、例えば感圧性、感熱性或いは乾湿性の接着剤を塗布したり、前記接着性の接着剤層を形成したフィルムシートを被覆したりすることにより実行される。【００１３】  本発明の折り畳み郵便はがきは４葉片を蛇腹状に折り畳んだ形態と５葉片を蛇腹状に折り畳んだ形態の２種類がある。そして前記５葉片を蛇腹状に折り畳んだ形態は、第一葉片と第二葉片を連接する折り線を、山折りにするか谷折りにするかで更に２種類の態様に分分かれる。
【発明の効果】
【００１４】  本発明の折り畳み郵便はがきによれば、現状３葉片が最多葉片となる三つ折りはがきであるところ、葉片に数えられない宛名ラベルを組み合わせることで、１葉片が追加され４葉片が連接された郵便はがきとなる。従って、決められた情報（料金受取人払い及びそれに関連する表示、郵便番号枠及び受取人の住所氏名等の郵便業務に関連する必須の表示に限られる）しか記載できない表出面と逆側の接着面側に情報の記載が可能になる。即ち現状の３葉片から３．５葉片の情報記載面を持つことになり、より多くの情報を隠蔽状態で伝達することが可能になる。
また情報量が増えるにも関わらず郵便料金が通常はがきの料金のため極めて経済的である。
さらに単純な蛇腹折りにより構成されるため製造コストも経済的である。
【図面の簡単な説明】
【００１５】
【図１】（Ａ）は本発明の実施例１の折り畳み通常はがきＨ１の平面図、（Ｂ）は（Ａ）におけるＩ−Ｉ線断面図である。
【図２】（Ａ）は折り畳み通常はがきＨ１の斜視図、（Ｂ）は剥離開封した状態を示す斜視図である。
【図３】（Ａ）は折り畳み通常はがきＨ１の製造に使用されるはがきシートＳ１の表面図、（Ｂ）は裏面図である。
【図４】（Ａ）は、はがきシートＳ１の展開図で、疑似接着予定面に疑似接着フィルムシートＧが被覆された状態を示す表面図、（Ｂ）は裏面図である。
【図５】（Ａ）は本発明の実施例２の折り畳み通常はがきＨ２の平面図、（Ｂ）は（Ａ）におけるＩＩ−ＩＩ線断面図である。
【図６】（Ａ）は折り畳み通常はがきＨ２の斜視図、（Ｂ）は剥離開封した状態を示す斜視図である。
【図７】（Ａ）は折り畳み通常はがきＨ２の製造に使用されるはがきシートＳ２の表面図、（Ｂ）は裏面図である。
【図８】（Ａ）は、はがきシートＳ２の展開図で、疑似接着予定面に疑似接着フィルムシートＧが被覆された状態を示す表面図、（Ｂ）は疑似接着予定面に疑似接着フィルムシートＧが被覆されると共に完全接着予定面に完全接着フィルムシートＫが被覆された状態を示す裏面図である。
【図９】（Ａ）は本発明の実施例３の折り畳み通常はがきＨ３の平面図、（Ｂ）は（Ａ）におけるＩＩＩ−ＩＩＩ線断面図である。
【図１０】（Ａ）は折り畳み通常はがきＨ３の斜視図、（Ｂ）は剥離開封した状態を示す斜視図である。
【図１１】
2019155898.tif 000003
【図１２】（Ａ）は、はがきシートＳ３の展開図で、疑似接着予定面に疑似接着フィルムシートＧが被覆されると共に完全接着予定面に完全接着フィルムシートＫが被覆された状態を示す表面図、（Ｂ）は疑似接着予定面に疑似接着フィルムシートＧが被覆された状態を示す裏面図である。
【図１３】（Ａ）は実施例１の折り畳み通常はがきＨ１の変形例の折り畳み通常はがきＨ４の平面図、（Ｂ）は（Ａ）におけるＩＶ−ＩＶ線断面図である。
【図１４】（Ａ）は、はがきシートＳ４の展開図で疑似接着予定面に疑似接着フィルムシートＧが被覆された状態を示す表面図、（Ｂ）は疑似接着予定面に疑似接着フィルムシートＧが被覆された状態を示す裏面図である。
【図１５】（Ａ）は実施例２の折り畳み通常はがきＨ２の変形例の折り畳み通常はがきＨ５の平面図、（Ｂ）は（Ａ）におけるＶ−Ｖ線断面図である。
【図１６】（Ａ）は、はがきシートＳ５の展開図で、疑似接着予定面に疑似接着フィルムシートＧが被覆された状態を示す表面図、（Ｂ）は疑似接着予定面に疑似接着フィルムシートＧが被覆されると共に完全接着予定面に完全接着フィルムシートＫが被覆された状態を示す裏面図である。
【図１７】（Ａ）は実施例３の折り畳み通常はがきＨ３の変形例の折り畳み通常はがきＨ６の平面図、（Ｂ）は（Ａ）におけるＶＩ−ＶＩ線断面図である。
【図１８】（Ａ）は、はがきシートＳ６の展開図で、疑似接着予定面に疑似接着フィルムシートＧが被覆されると共に完全接着予定面に完全接着フィルムシートＫが被覆された状態を示す表面図、（Ｂ）は疑似接着予定面に疑似接着フィルムシートＧが被覆された状態を示す裏面図である。
【図１９】（Ａ）は実施例３の折り畳み通常はがきＨ３及び実施例４の折り畳み通常はがきＨ６の変形の折り畳み通常はがきＨ７の平面図、（Ｂ）は（Ａ）におけるＶＩＩ−ＶＩＩ線断面図である。
【図２０】（Ａ）は、はがきシートＳ７の展開図で、疑似接着予定面に疑似接着フィルムシートＧが被覆されると共に完全接着予定面に完全接着フィルムシートＫが被覆された状態を示す表面図、（Ｂ）は疑似接着予定面に疑似接着フィルムシートＧが被覆された状態を示す裏面図である。
【図２１】（Ａ）は実施例３から製造される折り畳み通常はがきのＨ８の平面図、（Ｂ）は（Ａ）におけるＶＩＩＩ−ＶＩＩＩ線断面図である。
【図２２】（Ａ）は折り畳み通常はがきＨ８の斜視図、（Ｂ）は剥離開封した状態を示す斜視図である。
【図２３】（Ａ）は折り畳み通常はがきの製造過程を示す斜視図、（Ｂ）は（Ａ）におけるＩＸ−ＩＸ線断面図である。
【発明を実施するための最良の形態】
【実施例１】
【００１６】［４葉片が連接された折り畳み通常はがきＨ１］
以下本発明を図面に沿って分かりやすく説明する。
なお以下の実施例では、疑似接着媒体としてフィルム方式における全面貼り方式の疑似接着フィルムシートを使用している。
図１（Ａ）、（Ｂ）及び図２（Ａ）、（Ｂ）に示すように本実施例１の折り畳み通常はがきＨ１は、上から第四葉片４、第三葉片３、第二葉片２及び第一葉片１が折り線７、６及び５から蛇腹折りに折り畳まれ、それぞれの対向面間は疑似接着フィルムシートＧを介して剥離可能に接着されている。各葉片の横幅の違いは第四葉片４≒第三葉片３＜第二葉片２≒第一葉片１である。従って第四葉片４及び第三葉片３から第二葉片２の縦縁辺がはみ出し、その表出面に「ＰＯＳＴ  ＣＡＲＤ」或いは「郵便はがき」等の表示がなされている。この場合、前記表示がされている第二葉片２がはがき本体とみなされる。【００１７】  この折り畳み通常はがきＨ１は図１（Ｂ）に示すように、折り線７、６及び５に折りミシンが形成されている。前記折りミシンは、疑似接着フィルムシートＧ及びはがきシートＳ１の両者を共に貫通する状態で形成されている。しかし折りミシンは両者を貫通する必要は必ずしもなく、例えばはがきシートＳ１のみに形成されていても構わず、或いは全く形成されることなく折り機等により強制的に折り畳まれていても構わない。本実施例１以降の各実施例も同様で、折りミシンが両者を貫通しているがその態様に限られることはない。【００１８】  この折り畳み通常はがきＨ１の受取人は、各葉片の対向面の縦縁辺に形成されている疑似接着フィルムシートＧ同士が接着していない非接着域の空間を剥離の端緒として、指で摘まみ捲り上げることができる。そして図２（Ｂ）に示すように蛇腹状に折り畳まれていた各葉片の対向面を剥離して、内部の情報を透明或いは半透明の疑似接着フィルムシートＧを透して視認することが出来るのである。【００１９】  本実施例１の折り畳み通常はがきＨ１は、例えば図３（Ａ）及び（Ｂ）に示す、第一葉片１、第二葉片２、第三葉片３及び第四葉片４が折り線５、６及び７を介して横方向に連接されたはがきシートＳ１により製造される。なお前記はがきシートＳ１はビジネスフォーム印刷等に使用される長尺状シートの態様で印刷されていても、或いはオフセット印刷等に使用される枚葉状シートの態様で印刷されていても構わない。【００２０】  長尺状シート或いは枚葉状シートに印刷されたはがきシートＳ１の、各葉片の表裏面の疑似接着予定面には、ラミネータ等の被覆装置により疑似接着フィルムシートＧが、図４（Ａ）に示すように第二葉片２及び第三葉片３表面の略全面、そして同図（Ｂ）に示すように第二葉片２及び第三葉片３裏面の全面及び第一葉片１及び第四葉片４の略全面に被覆される。第二葉片２及び第三葉片３の折り線の縁辺に沿った領域、第一葉片１及び第四葉片４の端縁の疑似接着フィルムシートＧが被覆されていない領域は、既述の折り畳み通常はがきＨ１の受取人が開封の端緒とする非接着領域を形成する。【００２１】  このように疑似接着フィルムシートＧが被覆されたはがきシートＳ１は、断裁機等により周囲が切除されて切り出され折り機に掛けられると、図１（Ｂ）及び図２（Ａ）、（Ｂ）に示すように蛇腹状に折り畳まれ、引き続き折り畳まれた各葉片を剥離可能に接着して一体化する一体化装置で処理される。【００２２】  そして前記折り畳まれたはがきシートＳ１は、例えば一対の搬送ローラと一対のヒ���タパネルが交互に配置されると共に、出口に一対の加圧ローラが設けられた一体化装置により加熱・加圧処理が施され、対向する葉片間の疑似接着フィルムシートＧ同士が剥離可能に接着して折り畳み通常はがきＨ１となり投函されるのである。【００２３】  このような構成の折り畳み通常葉書Ｈ１は、第四葉片４が宛名ラベルと見なされるため、その表出面側は決められた情報（料金受取人払い及びそれに関連する表示、郵便番号枠及び受取人の住所氏名等の郵便業務に関連する必須の表示に限られる）しか記載できない。しかし第四葉片４の裏面と第三葉片３の表面には各種情報の記載ができるため、従来の三つ折りはがきより２面分多く情報記載が可能になるのである。
【実施例２】
【００２４】［５葉片が連接された折り畳み通常はがきＨ２］
図５（Ａ）、（Ｂ）及び図６（Ａ）、（Ｂ）に示すように本実施例２の折り畳み通常はがきＨ２は、上から第五葉片１５第四葉片１４、第三葉片１３、第二葉片１２及び第一葉片１１が折り線１９、１８、１７及び１６から蛇腹折りに折り畳まれ、各葉片の対向面間は疑似接着フィルムシートＧを介して剥離可能に或いは完全接着フィルムシートＫを介して剥離不能に接着されている。各葉片の横幅の違いは第五葉片１５≒第四葉片１４＜第三葉片１３≒第二葉片１２≒第一葉片１１である。従って第五葉片１５及び第四葉片１４の縦縁辺から第三葉片１３の縦縁辺部分がはみ出し、その表出面に「ＰＯＳＴ  ＣＡＲＤ」或いは「郵便はがき」等の表示がされている。【００２５】  なお前記表示がされている第三葉片１３は、第二葉片１２と対向面間を完全接着フィルムシートＫにより剥離不能に接着されて一体化している。従って本折り畳み通常はがきＨ２は、前記一体化している第三葉片１３と第二葉片１２がはがき本体とみなされる。【００２６】  この折り畳み通常はがきＨ２の受取人は、各葉片対向面の縦縁辺に形成されている疑似接着フィルムシートＧ同士が接着していない非接着域の空間を剥離の端緒として、指で摘まみ捲り上げることができる。そして図６（Ｂ）に示すように蛇腹状に折り畳まれていた各葉片の疑似接着フィルムシートＧ同士の対向面を剥離して、内部の情報を透明或いは半透明の疑似接着フィルムシートＧを透して視認することが出来るのである。【００２７】  本実施例２の折り畳み通常はがきＨ２は、例えば図７（Ａ）及び（Ｂ）に示すように第一葉片１１、第二葉片１２、第三葉片１３、第四葉片１４及び第五葉片１５が折り線１６、１７、１８及び１９を介して横方向に連接されているはがきシートＳ２により製造される。なお前記はがきシートＳ２はビジネスフォーム印刷等に使用される長尺状シートの態様で印刷されていても、或いはオフセット印刷等に使用される枚葉状シートの態様で印刷されていても構わない。【００２８】  長尺状シート或いは枚葉状シートに印刷されたはがきシートＳ２の、各葉片の表裏面の疑似接着予定面には、ラミネータ等の被覆装置により疑似接着フィルムシートＧが被覆される。また同様に完全接着予定面には完全接着フィルムシートＫが被覆される。具体的には前記疑似接着フィルムシートＧは図８（Ａ）に示すように、はがきシートＳ２表面側第一葉片１１の全面と第二葉片１２、第三葉片１３及び第四葉片１４の略全面を被覆する。そして同図（Ｂ）に示すようにはがきシートＳ２裏面側第四葉片１４の略全面と第五葉片１５の全面を被覆する。さらに完全接着フィルムシートＫは同図（Ｂ）に示すように、はがきシートＳ２裏面側の第三葉片１３及び第二葉片１２の略全面を被覆する。【００２９】  なお図８（Ａ）に示すように、第三葉片１３及び第四葉片１４の折り線１７及び１９の縁辺に沿った疑似接着フィルムシートＧが被覆されていない領域、及び同図（Ｂ）に示すように、第三葉片１３及び第四葉片１４の折り線１８の縁辺に沿った疑似接着フィルムシートＧ及び完全接着フィルムシートＫが被覆されていない領域は、折り畳み郵便はがきＨ２の受取人が開封の端緒とする非接着領域を形成する。【００３０】  疑似接着フィル���シートＧ及び完全接着フィルムシートＫの被覆領域に格別な制限はない。例えば図８（Ａ）において折り線１７を境に、隙間を開けて両側に疑似接着フィルムシートＧが被覆されているが、第一葉片１１から第四葉片１４にわたる広幅の疑似接着フィルムシートＧにより、折り線１７を含めてすべての折り線を被覆しても構わない。また逆に各葉片の横幅に満たない幅の疑似接着フィルムシートＧで各葉片を被覆することにより、全ての折り線を被覆せずに表出させた態様としても構わない。さらに同図において第一葉片１１の外側の縦縁辺まできっちりと疑似接着フィルムシートＧが被覆されているが外側の縦縁辺を被覆せずに非接着領域を形成するような態様としても構わない。また同図（Ｂ）において第二葉片１２に被覆されている完全接着フィルムシートＫは第一葉片１１と連接する折り線１６を跨ぎ第一葉片１１側へはみだした状態で被覆されていても構わない。【００３１】    また開封の端緒として非接着域を形成する手段を記載しているが、これら開封のための手段に関しても格別な制限はない。例えば前記非接着領域以外に、従来から公知の開封側縁辺に沿って段差を形成する手段を用いても構わない。この場合葉片の幅を相違させることにより折り畳み後容易に段差が形成される。前記段差による開封手段の場合疑似接着フィルムシートＧを折り線や断ち切りとなる外側の縦縁辺から控えて非接着域を形成する必要がなく、仮に開封側縦縁の段差を形成する両葉片の、縦縁辺一杯に疑似接着フィルムシートＧが形成されていても容易に開封することが可能である。
このように疑似接着フィルムシートＧと折り線及び外側葉片の外縦縁辺の被覆に関する設計及び開封の手段の選択等は、作製する折り畳み郵便はがきの使用目的やデザイン等により使い分ければよく、この点については他の全ての実施例にも共通するところである。【００３２】  既述の通り各種フィルムシートが被覆されたはがきシートＳ２は、断裁機等により周囲が切除されて切り出され折り機に掛けられると、図５（Ｂ）及び図６（Ａ）、（Ｂ）に示すように蛇腹状に折り畳まれ、引き続き折り畳まれた各葉片を剥離可能に接着して一体化する一体化装置で処理される。【００３３】  前記折り畳まれたはがきシートＳ２は、例えば一対の搬送ローラと一対のヒータパネルが交互に配置されると共に、出口に一対の加圧ローラが設けられた一体化装置により加熱・加圧処理が施され、対向する葉片間の疑似接着フィルムシートＧ同士が剥離可能に接着すると共に完全接着フィルムシートＫが剥離不能に接着して、折り畳み通常はがきＨ２となり投函されるのである。【００３４】  このような構成の折り畳み通常葉書Ｈ２は、第五葉片１５が宛名ラベルと見なされるため、その表出面側は決められた情報（料金受取人払い及びそれに関連する表示、郵便番号枠及び受取人の住所氏名等の郵便業務に関連する必須の表示に限られる）しか記載できない。しかし第五葉片１５の裏面と第四葉片１４の表面には各種情報の記載ができるため、従来の三つ折りはがきより２面分多く情報記載が可能になるのである。
【実施例３】
【００３５】［５葉片が連接された折り畳み通常はがきＨ３］
図９（Ａ）、（Ｂ）及び図１０（Ａ）、（Ｂ）に示すように本実施例３の折り畳み通常はがきＨ３は、上から第五葉片２５第四葉片２４、第三葉片２３、第二葉片２２及び第一葉片２１が折り線２９、２８、２７及び２６から蛇腹折りに折り畳まれ、それぞれの対向面間は疑似接着フィルムシートＧを介して剥離可能に或いは完全接着フィルムシートＫを介して剥離不能に接着されている。各葉片の横幅の違いは第五葉片２５≒第四葉片２４≒第三葉片２３＜第二葉片２２≒第一葉片２１である。従って第五葉片２５、第四葉片２４及び第三葉片２３の縦縁辺から第二葉片２２の縦縁辺部分がはみ出し、その表出面に「ＰＯＳＴ  ＣＡＲＤ」或いは「郵便はがき」等の表示がされている。【００３６】  なお前記表示がされている第二葉片２２は、第三葉片２３と対向面間を完全接着フィルムシートＫにより剥離不能に接着されて一体化している。従って本折り畳み通常はがきＨ３は、前記一体化している第三葉片２３と第二葉片２２がはがき本体とみなされる。【００３７】  この折り畳み通常はがきＨ３の受取人は、各葉片対向面の縦縁辺に形成されている疑似接着フィルムＧ同士が接着していない非接着域の空間を剥離の端緒として、指で摘まみ捲り上げることができる。そして図１０（Ｂ）に示すように蛇腹状に折り畳まれていた葉片の対向面を剥離して、内部の情報を透明或いは半透明の疑似接着フィルムシートＧを透して視認することが出来るのである。【００３８】  本実施例３の折り畳み通常はがきＨ３は、例えば図１１（Ａ）及び（Ｂ）に示すように第一葉片２１、第二葉片２２、第三葉片２３、第四葉片２４及び第五葉片２５が折り線２６、２７、２８及び２９を介して横方向に連接されているはがきシートＳ３により製造される。なお前記はがきシートＳ３はビジネスフォーム印刷等に使用される長尺状シートの態様で印刷されていても、或いはオフセット印刷等に使用される枚葉状シートの態様で印刷されていても構わない。【００３９】  長尺状シート或いは枚葉状シートに印刷されたはがきシートＳ３の、各葉片の表裏面の疑似接着予定面には、ラミネータ等の被覆装置により疑似接着フィルムシートＧが被覆される。また同様に完全接着予定面には完全接着フィルムシートＫが被覆される。具体的には前記疑似接着フィルムシートＧは図１２（Ａ）に示すように、はがきシートＳ３表面側第四葉片２４の略全面と第五葉片２５の全面を被覆する。そして同図（Ｂ）に示すようにはがきシートＳ３裏面側第三葉片２３と第二葉片２２の全面と第四葉片２４と第一葉片２１の略全面を被覆する。さらに完全接着予定面には完全接着フィルムシートＫが同図（Ａ）に示すように、はがきシートＳ３表面側の第二葉片２２と第三葉片２３の略全面を被覆する。【００４０】  なお図１２（Ａ）に示すように、第三葉片２３及び第四葉片２４の折り線２８の縁辺に沿った疑似接着フィルムシートＧ及び完全接着フィルムシートＫが被覆されていない領域、及び同図（Ｂ）に示すように、第四葉片２４の折り線２９の縁辺及び第一葉片２１の外側の縁辺に沿った疑似接着フィルムシートＧが被覆されていない領域は、折り畳み通常はがきＨ３の受取人が開封の端緒とする非接着領域を形成する。【００４１】  本実施例���においても疑似接着フィルムシートＧ及び完全接着フィルムシートＫの被覆領域に格別な制限はない。例えば図１２（Ｂ）において折り線２６、２７及び２８を跨いで広幅の疑似接着フィルムシートＧが被覆されているが、折り線２７を境に隙間を開けて第一葉片２１と第二葉片２２、第三葉片２３と第四葉片２４に２分割して被覆されていても構わない。また各葉片の横幅に満たない幅の疑似接着フィルムシートＧで各葉片を被覆することにより、全ての折り線を被覆せずに表出させた態様としても構わない。さらに同図（Ａ）及び（Ｂ）において第五葉片２５表面の外側の縦縁辺まできっちりと疑似接着フィルムシートＧが被覆されているが外側の縦縁辺を被覆せずに非接着領域を形成するような態様としても構わない。逆に同図（Ｂ）に示す第一葉片２１裏面の外側の縦縁辺に非接着領域が形成されているが、この縦縁辺まできっちり被覆してしまっても構わない。【００４２】    また開封の端緒として非接着域を形成する手段を記載しているが、これら開封のための手段に関しても格別な制限はない。例えば前記非接着領域以外に、従来から公知の開封側縁辺に沿って段差を形成する手段を用いても構わない。この場合葉片の幅を相違させることにより折り畳み後容易に段差が形成される。前記段差による開封手段の場合疑似接着フィルムシートＧを折り線や断ち切りとなる外側の縦縁辺から控えて非接着域を形成する必要がなく、仮に開封側縦縁の段差を形成する両葉片の、縦縁辺一杯に疑似接着フィルムシートＧが形成されていても容易に開封することが可能である。
このように疑似接着フィルムシートＧと折り線及び外側葉片の外縦縁辺の被覆に関する設計及び開封の手段の選択等は、作製する折り畳み郵便はがきの使用目的やデザイン等により使い分ければよく、この点については他の全ての実施例にも共通するところである。【００４３】  既述の通り各種フィルムシートが被覆されたはがきシートＳ３は、断裁機等により周囲が切除されて切り出され折り機に掛けられると、図９（Ｂ）及び図１０（Ａ）、（Ｂ）に示すように蛇腹状に折り畳まれ、引き続き折り畳まれた各葉片を剥離可能に接着して一体化する一体化装置で処理される。【００４４】  前記折り畳まれたはがきシートＳ３は、例えば一対の搬送ローラと一対のヒータパネルが交互に配置されると共に、出口に一対の加圧ローラが設けられた一体化装置により加熱・加圧処理が施され、対向する葉片間の疑似接着フィルムシートＧ同士が剥離可能に接着すると共に完全接着フィルムシートＫが剥離不能に接着して、折り畳み通常はがきＨ３となり投函されるのである。【００４５】  このような構成の折り畳み通常葉書Ｈ３は、第五葉片２５が宛名ラベルと見なされるため、その表出面側は決められた情報（料金受取人払い及びそれに関連する表示、郵便番号枠及び受取人の住所氏名等の郵便業務に関連する必須の表示に限られる）しか記載できない。しかし第五葉片２５裏面と第四葉片２４表面には各種情報の記載ができるため、従来の三つ折りはがきより２面分多く情報記載が可能になるのである。
【実施例４】
【００４６】［変形の折り畳み通常はがきＨ４、Ｈ５、Ｈ６及びＨ７］
図１３（Ａ）及び（Ｂ）に示す折り畳み通常はがきＨ４は実施例１の折り畳み通常はがきＨ１の変形例である。このものは同図（Ｂ）に示すように、実施例１の折り畳み通常はがきＨ１の第四葉片４及び第三葉片３の横幅を、第二葉片２及び第一葉片１の横幅よりさらに狭くすることにより、第二葉片２の表出面をより広くしてそこに料金受取人払い及びそれに関連する表示（図中の円）と「ＰＯＳＴ  ＣＡＲＤ」の表示を共に記載している。なお各葉片の横幅の違いは第四葉片４≒第三葉片３＜第二葉片２≒第一葉片１である。【００４７】  この折り畳み通常はがきＨ４を剥離すると、図１４（Ａ）及び（Ｂ）に示すように展開される。展開されたはがきシートＳ４は同図（Ａ）に示すように第二葉片２及び第三葉片３の表面の略全面が疑似接着フィルムシートＧにより被覆されている。また同図（Ｂ）に示すように第二葉片２及び第三葉片３の裏面は全面的に疑似接着フィルムシートＧが被覆されると共に、第一葉片１及び第四葉片４の外側縦方向の縁辺を除き略全面が被覆されている。【００４８】  また図１５（Ａ）及び（Ｂ）に示す折り畳み通常はがきＨ５は実施例２の折り畳み通常はがきＨ２の変形例である。このものは同図（Ｂ）に示すように、実施例２の折り畳み通常はがきＨ２の第五葉片１５及び第四葉片１４の横幅を、第三葉片１３、第二葉片１２及び第一葉片１１の横幅よりさらに狭くすることにより、第三葉片１３の表出面をより広くしてそこに料金受取人払い及びそれに関連する表示（図中の円）と「ＰＯＳＴ  ＣＡＲＤ」の表示を共に記載している。なお各葉片の横幅の違いは第五葉片１５≒第四葉片１４＜第三葉片１３≒第二葉片１２≒第一葉片１１である。【００４９】  この折り畳み通常はがきＨ５を剥離すると、図１６（Ａ）及び（Ｂ）に示すように展開される。展開されたはがきシートＳ５は同図（Ａ）に示すように、第一葉片１１の表面が全面的に、第二葉片１２、第三葉片１３及び第四葉片１４の表面の略全面が疑似接着フィルムシートＧにより被覆されている。そして同図（Ｂ）に示すように第五葉片１５の裏面の全面に、また第四葉片１４の略全面に疑似接着フィルムシートＧが被覆されると共に、第三葉片１３の裏面の略全面に、また第二葉片１２の裏面の全面に完全接着フィルムシートＫにより被覆されている。なお前記完全接着フィルムシートＫは第一葉片１２と第一葉片１１を連接する折り線１６を跨いではみ出し、第一葉片１１の裏面の一部を被覆しているが、第二葉片１２の折り線１６手前で止めておいても構わない。【００５０】  さらに図１７（Ａ）及び（Ｂ）に示す折り畳み通常はがきＨ６は実施例３の折り畳み通常はがきＨ３の変形例である。このものは同図（Ｂ）に示すように、実施例３の折り畳み通常はがきＨ３の第五葉片２５、第四葉片２４及び第三葉片２３の横幅を、第二葉片２２及び第一葉片２１の横幅よりさらに狭くすることにより、第二葉片２２の表出面をより広くしてそこに料金受取人払い及びそれに関連する表示（図中の円）と「ＰＯＳＴ  ＣＡＲＤ」の表示を共に記載している。なお各葉片の横幅の違いは第五葉片２５≒第四葉片２４≒第三葉片２３＜第二葉片２２≒第一葉片２１である。【００５１】  この折り畳み通常はがきＨ６を剥離��ると、図１８（Ａ）及び（Ｂ）に示すように展開される。展開されたはがきシートＳ６は同図（Ａ）に示すように、第二葉片２２及び第三葉片２３の表面の略全面が完全接着フィルムシートＫに、また第四葉片２４表面の略全面と第五葉片２５表面の全面に疑似接着フィルムシートＧが被覆されている。そして同図（Ｂ）に示すように第二葉片２２及び第三葉片２３の裏面の全面と、第一葉片２１及び第四葉片２４の裏面の略全面に疑似接着フィルムシートＧが被覆されている。【００５２】  さらにまた、図１９（Ａ）及び（Ｂ）に示す折り畳み通常はがきＨ７は実施例３の折り畳み通常はがきＨ３の変形例である。このものは同図（Ｂ）に示すように、実施例３の折り畳み通常はがきＨ３の第五葉片２５の横幅を、第四葉片２４の横幅よりさらに狭くすることにより、第二葉片２２の表出面に「ＰＯＳＴ  ＣＡＲＤ」或いは「郵便はがき」等の表示を記載すると共に第四葉片２４の表出面に料金受取人払い等の郵便料金表示を分けて記載したものである。なお各葉片の横幅の違いは第五葉片２５＜第四葉片２４≒２３＜第二葉片２２≒第一葉片２１である。【００５３】  この折り畳み通常はがきＨ７を剥離すると、図２０（Ａ）及び（Ｂ）に示すように展開される。展開されたはがきシートＳ７は同図（Ａ）に示すように、第二葉片２２及び第三葉片２３の表面の略全面が完全接着フィルムシートＫに、また第四葉片２４及び第五葉片２５の表面の略全面に疑似接着フィルムシートＧが被覆されている。そして同図（Ｂ）に示すように第二葉片２２及び第三葉片２３の裏面の全面と、第一葉片２１及び第四葉片２４の裏面の略全面に疑似接着フィルムシートＧが被覆されている。
【実施例５】
【００５４】［４葉片が連接され１葉片が分離する折り畳み通常はがきＨ８］
図２１（Ａ）、（Ｂ）及び図２２（Ａ）、（Ｂ）に示すように本実施例５の折り畳み通常はがきＨ８は、実施例３の変形例の一つであり、上から第五葉片２５そして折り線２８から折り畳まれた第四葉片２４及び第三葉片２３、さらに折り線２６から折り畳まれた第二葉片２２及び第一葉片２１が順番に重ね合わされ、また各葉片の対向面間は疑似接着フィルムシートＧを介して剥離可能に或いは完全接着フィルムシートＫを介して剥離不能に接着されている。各葉片の横幅の違いは第五葉片２５≒第四葉片２４≒第三葉片２３＜第二葉片２２≒第一葉片２１である。従って第五葉片２５、第四葉片２４及び第三葉片２３の縦縁辺から第二葉片２２の縦縁辺部分がはみ出し、その表出面に「ＰＯＳＴ  ＣＡＲＤ」或いは「郵便はがき」等の表示がされている。【００５５】  なお前記表示がされている第二葉片２２は、第三葉片２３と対向面間を完全接着フィルムシートＫにより剥離不能に接着されて一体化している。従って本折り畳み通常はがきＨ８は、前記一体化している第二葉片２２と第三葉片２３がはがき本体とみなされる。【００５６】  この折り畳み通常はがきＨ８の受取人は、各葉片対向面の縦縁辺に形成されている疑似接着フィルムシートＧ同士が接着していない非接着域の空間を剥離の端緒として、指で摘まみ捲り上げることができる。そして図２２（Ｂ）に示すように各葉片の疑似接着フィルムシートＧ同士の対向面を剥離して、内部の情報を透明或いは半透明の疑似接着フィルムシートＧを透して視認することが出来るのである。【００５７】  なお本実施例の折り畳み通常はがきＨ８は、第五葉片２５が完全に本体側の葉片群と分離する。そして本体側は剥離不能に接着された第二葉片２２及び第三葉片２３がはがき本体となり、その両外側に第一葉片２１と第四葉片２４が縦縁辺で接着された製本状態となり残る。【００５８】  本実施例４の折り畳み通常はがきＨ７は、実施例３に記載される折り畳み通常はがきＨ３から製造される。前記実施例に記載された内容で製造された折り畳み通常はがきＨ３の、図９（Ｂ）に二点鎖線で示す背部分を図２３（Ａ）及び（Ｂ）に示すように、断裁機等により切除することで完成される。【００５９】  また上記背部分を切除して１葉片を分離する手法は、前記実施例４に記載される折り畳み通常はがきＨ６及びＨ７にも適用することが可能である。図１７（Ｂ）及び図１９（Ｂ）に示す二点鎖線部分を切除すれば、第五葉片２５が完全に本体側の葉片群と分離する。そして本体側は剥離不能に接着された第二葉片２２及び第三葉片２３がはがき本体となり、その両外側に第一葉片２１と幅の狭い第四葉片２４が縦縁辺で接着された変形の製本状態となり残る。【００６０】  なお、本発明は、上記実施例に限られるものではない。
例えば、疑似接着予定面或いは完全接着予定面に疑似接着フィルムシートＧ或いは完全接着フィルムシートＫを被覆する範囲に関しては、葉片全面を被覆してもまたは折り線や両外側の縁辺から控えたり、或いは折り線を越えて隣の葉片まで被覆したりする状態でも構わない。
また、前記実施例では、折り畳み通常はがきを構成する疑似接着媒体としてフィルム方式の中の全面貼り方式を採用しているが、同じフィルム方式の中の挟み込み方式或いは先糊方式や後糊方式等により構成されていても構わない。これについては完全接着の方式も同様である。
【符号の説明】
【００６１】Ｈ１、Ｈ２、Ｈ３、Ｈ４、Ｈ５、Ｈ６、Ｈ７、Ｈ８  折り畳み通常はがき
Ｓ１、Ｓ２、Ｓ３、Ｓ４、Ｓ５、Ｓ６、Ｓ７  はがきシート
Ｇ  疑似接着フィルムシート
Ｋ  完全接着フィルムシート
１、２、３、４、１１、１２、１３、１４、１５、２１、２２、２３、２４、２５  葉片
５、６、７、１６、１７、１８、１９、２６、２７、２８、２９  折り線
【図１】
2019155898.tif 000004
【図２】
2019155898.tif 000005
【図３】
2019155898.tif 000006
【図４】
2019155898.tif 000007
【図５】
2019155898.tif 000008
【図６】
2019155898.tif 000009
【図７】
2019155898.tif 000010
【図８】
2019155898.tif 000011
【図９】
2019155898.tif 000012
【図１０】
2019155898.tif 000013
【図１１】
2019155898.tif 000014
【図１２】
2019155898.tif 000015
【図１３】
2019155898.tif 000016
【図１４】
2019155898.tif 000017
【図１５】
2019155898.tif 000018
【図１６】
2019155898.tif 000019
【図１７】
2019155898.tif 000020
【図１８】
2019155898.tif 000021
【図１９】
2019155898.tif 000022
【図２０】
2019155898.tif 000023
【図２１】
2019155898.tif 000024
【図２２】
2019155898.tif 000025
【図２３】
2019155898.tif 000026